(57)【特許請求の範囲】
【請求項１】
固形石鹸同士を接続する固形石鹸の接続部品であって、弾性を示す物質であるシリコンゴムから形成されたシートの両面に１つ以上の中央に凹部を形成した突起物を設けたことを特徴とする固形石鹸の接続部品。
【請求項２】
前記突起物は、円形、楕円、多重円、多角形またはこれらの組み合わせからなることを特徴とする請求項１に記載の固形石鹸の接続部品。
【請求項３】
固形石鹸と固形石鹸の少なくとも一方の表面に塗布して固形石鹸同士を接続する接続材料であって、前記接続材料は固形石鹸にグリセリンまたはワセリンを添加し、練ることにより作製した軟質性の石鹸からなり、この軟質性の石鹸はチューブに保存することを特徴とする接続材料。
【発明の詳細な説明】
【０００１】
【発明の属する技術分野】
本発明は、浴用、洗顔用、あるいは洗濯用などに使用される石鹸同士を接続する固形石鹸の接続部品および接続材料に関する。
【０００２】
【従来の技術】
従来から浴用、洗顔用、あるいは洗濯用などに使用されてきた固形石鹸は、使用しているうちに次第にすり減って薄く小さくなり、ときには割れたり、折れたりして更に小さくなる場合もあり、使いにくくなって捨てられてしまうという問題点があった。これに対し、最後まで使用できるようにした凹部形成固形石鹸が提案されている。（例えば、特許文献１参照。）
【０００３】
【特許文献１】
特開平０６−３３００９５号公報
【０００４】
【発明が解決しようとする課題】
しかし、前記特許文献１においては、凹部形成固形石鹸の凹部に小さくなった石鹸を単に載置しているため、完全に接着することなく、使用時に剥離するおそれがあるという問題点がある。
本発明は、上記問題点に鑑みてなされたものであり、最後まで使用できる固形石鹸同士を接続し、固形石鹸を最後まで使用するための接続部品および接続材料を提供することを課題とする。
【０００５】
【課題を解決するための手段】
上記目的を達成するために、発明者は、鋭意研究した結果、本願特許請求の範囲に記載した請求項１〜３の発明に至った。
請求項１に記載の発明では、固形石鹸同士を接続する固形石鹸の接続部品であって、弾性を示す物質であるシリコンゴムから形成されたシートの両面に１つ以上の中央に凹部を形成した突起物を設けたことを特徴とする。
【０００６】
弾性を示す物質はシリコンゴムであって、このシリコンゴムから形成されたシートの両面に１つ以上の中央に凹部を形成した突起物を設けた固形石鹸の接続部品を用いて、固形石鹸同士接続することにより、固形石鹸を無駄なく最後まで使用できる。
また、弾性を示す物質はシリコンゴムであることにより、浴用、洗顔用あるいは洗濯用に使用する場合に有用な効果を示す。
【０００７】
請求項２に記載の発明では、請求項１に記載の固形石鹸の接続部品であって、前記突起物は、円形、楕円、多重円、多角形またはこれらの組み合わせからなることを特徴とする。この突起物は、シートを形成する金型の表面に突起の雌型を設けることにより容易に作製できる。また、この部品４は、多数回使用できるので経済的である。
【０００８】
さらに、請求項３に記載の発明では、固形石鹸と固形石鹸の少なくとも一方の表面に塗布して固形石鹸同士を接続する接続材料であって、前記接続材料は固形石鹸にグリセリンまたはワセリンを添加し、練ることにより作製した軟質性の石鹸からなり、軟質性石鹸はチューブに保存することを特徴とする。
【０００９】
前記接続材料は固形石鹸にグリセリンまたはワセリンを添加し、練ることにより作製した軟質性の石鹸からなり、前記接続材料を用いて、固形石鹸同士接続することにより、固形石鹸を無駄なく最後まで使用できる。
【００１０】
【発明の実施の形態】
参考例、及び、本発明の実施形態を実施例に基づき、図面等を用いて詳細に説明する。
【００１１】
〔参考例１〕
図１は、固形石鹸１の表面において、前記表面の少なくとも１面の一部に１つ以上の中央に凹部を形成した突起物２を設けたものである。前記突起物２は、円形、楕円形、多重円形、多角形またはこれらの組み合わせからなるが、図１では円形例を示している。
前記突起物２を固形石鹸１の表面に形成する方法は、流し込み金型に突起の雌型を設け、固化する前の石鹸を流し込むことにより、容易に作製できる。
また、予め所定の形状に成形した固形石鹸を前記突起の雌型を持つ金型で型打ちすることによっても作製できる。
さらに、前記表面の少なくとも１面を、凸でない形状にすることで、接合がより強固になる。なお、好ましくは前記表面を凹状に形成し、小さくなった石鹸の表面形状に近似させるのが良い。
【００１２】
〔参考例２〕
図２は、固形石鹸１の内部に空間３を設けた構造例である。固形石鹸１の内部に空間３を設ける手段としては、流し込み金型の上部に中子を設けることにより、容易に作製することができる。また、シート状固形石鹸１を作製し、完全固化する前にロール状に巻くことにより、空間３を形成した固形石鹸１を作製できる。
また、石鹸をドーナツ状に押し出す、いわゆる押し出し成形方法によっても作製できる。
【００１３】
〔第１実施形態〕
図３（ａ）は、固形石鹸同士を接続する部品４であって、弾性を示すシートの両面の一部に１つ以上の、中央に凹部を形成した突起物２を設けた固形石鹸の接続部品である。
部品４は、弾性を示す物質であればどのようなものでもかまわないが、浴用、洗顔用あるいは洗濯用に使用する場合に有用な効果を示す材料が好ましく、特に抗菌性を示す材料を配合した非水溶性のゴム状物質であり、さらに好ましくはシリコンゴムである。
なお、突起物２は、シートを形成する金型の表面に突起の雌型を設けることにより容易に作製できる。また、この部品４は、多数回使用できるので経済的である。
【００１４】
〔第２実施形態〕
第２の実施形態は、固形石鹸と固形石鹸の少なくとも一方に塗布して固形石鹸同士を接続する材料であって、前記材料が軟質性の石鹸からなることを特徴とする接続材料である。
軟質の石鹸は、従来の固形石鹸にグリセリンまたはワセリンを添加し、練ることにより作製できる。なお、前記軟質性石鹸は、チューブに保存することで、必要に応じ、押し出して使用することができる。
さらに、この接続材用は、石鹸として使用できるので経済的である。
【００１５】
なお、本発明は、前記の実施形態に限定されずに変形することができる。たとえば、石鹸同士を接続する部品については、シート状の石鹸の両表面に内部が窪んだ突起物を形成した部品が挙げられる。この部品は、石鹸同士を接続した後、一体化し最後まで使用することができる。
【００１６】
【発明の効果】
本発明は、以上説明したように構成されているので、以下に記載された効果を奏する。
固形石鹸の表面において、前記表面の少なくとも１面の一部に、１つ以上の、中央に凹部を形成した突起物を設けたので、前記突起物に設けた凹部と前記小さくなった石鹸の間で、真空状態を形成し、前記小さくなった石鹸を強固に吸着でき、最後まで使用できる。
また、固形石鹸の内部に空間を設け、他の石鹸が挿入可能な開口部を設けたので、小さくなった石鹸を内部に挿入し、一体化することにより、最後まで使用できる。
固形石鹸同士を接続する部品または接続材料を使用し、固形石鹸同士を接着することにより、最後まで使用できる。
なお、接続部品は繰り返し使用できるので経済的である。
【図面の簡単な説明】
【図1】  参考例１を示す斜視図である。
【図２】  参考例２を示す斜視図である。
【図３】  （ａ）は本発明の第１実施形態を示す部品の斜視図、（ｂ）は（ａ）に示すＡ−Ａ線の断面図である。
【符号の説明】
１  固形石鹸
２  突起物質
３  空間
４  弾性体
５  中子
【図１】
0003837111.tif 000002
【図２】
0003837111.tif 000003
【図３】
0003837111.tif 000004